(57)【要約】【課題】表示装置が故障した場合に、その表示装置に関連する画像を別の表示装置で鑑賞可能とすること。【解決手段】サーバ装置３０は、表示装置の動作状態を示す動作状態情報を表示装置から受信する状態情報受信手段と、動作状態情報に基づいて表示装置の動作状態を判定する状態判定手段と、状態判定手段により表示装置が故障状態であると判定された場合に、表示装置に関連する画像データを送信する画像送信手段と、を備える。【選択図】図３
2015103947.tif 000002
【特許請求の範囲】
【請求項１】
表示装置の動作状態を示す動作状態情報を前記表示装置から受信する状態情報受信手段と、
前記動作状態情報に基づいて前記表示装置の動作状態を判定する状態判定手段と、
前記状態判定手段により前記表示装置が故障状態であると判定された場合に、前記表示装置に関連する画像データを送信する画像送信手段と、
を備えることを特徴とするサーバ装置。
【請求項２】
請求項１に記載のサーバ装置において、
前記動作状態情報は、前記表示装置から所定の時間間隔で継続的に送信され、
前記状態判定手段は、前記状態情報受信手段において前記動作状態情報が所定時間以上受信されなかった場合に、前記表示装置が故障状態であると判定することを特徴とするサーバ装置。
【請求項３】
請求項１または２に記載のサーバ装置において、
前記サーバ装置は、第１表示装置に記憶された画像データを管理するサーバ装置であり、
前記第１表示装置の代替装置である第２表示装置から、前記画像データを特定するための画像特定情報を受信する特定情報受信手段をさらに備え、
前記状態情報受信手段は、前記第１表示装置の動作状態を示す動作状態情報を前記第１表示装置から受信し、
前記状態判定手段は、前記第１表示装置から受信した動作状態情報に基づいて、前記第１表示装置の動作状態を判定し、
前記画像送信手段は、前記状態判定手段により前記第１表示装置が故障状態であると判定された場合に、前記第２表示装置から受信した画像特定情報により特定される画像データを前記第２表示装置に送信することを特徴とするサーバ装置。
【請求項４】
第１表示装置と、
前記第１表示装置の代替装置である第２表示装置と、
前記第１表示装置に記憶された画像データを管理するサーバ装置と、
を備え、
前記第１表示装置は、
画像データを記憶する記憶手段と、
非通電状態であっても画像の表示を維持可能な不揮発性表示手段と、
前記画像データを特定するための画像特定情報がコード化されたコード画像を前記不揮発性表示手段に表示させる表示制御手段と、
前記第１表示装置の動作状態を示す動作状態情報を、前記サーバ装置に送信する状態情報送信手段と、
を有し、
前記第２表示装置は、
前記第１表示装置の前記不揮発性表示手段に表示されたコード画像から画像特定情報を読み取る読み取り手段と、
前記読み取り手段により読み取られた画像特定情報を前記サーバ装置に送信する特定情報送信手段と、
を有し、
前記サーバ装置は、
前記第１表示装置から送信された前記動作状態情報に基づいて、前記第１表示装置の動作状態を判定する状態判定手段と、
前記状態判定手段により前記第１表示装置が故障状態であると判定された場合に、前記第２表示装置から送信された画像特定情報により特定される画像データを前記第２表示装置に送信する画像送信手段と、
を有することを特徴とする画像管理システム。
【請求項５】
請求項４に記載の画像管理システムにおいて、
前記コード画像は、前記画像特定情報と前記第１表示装置を特定するための装置特定情報とがコード化されたコード画像であり、
前記第２表示装置の前記読み取り手段は、前記コード画像から前記画像特定情報と前記装置特定情報とを読み取り、
前記第２表示装置の前記特定情報送信手段は、前記読み取り手段により読み取られた前記画像特定情報と前記装置特定情報とを前記サーバ装置に送信し、
前記サーバ装置の前記画像送信手段は、前記第２表示装置から送信された装置特定情報により特定される第１表示装置が故障状態であると判定された場合に、前記第２表示装置から送信された画像特定情報により特定される画像データを前記第２表示装置に送信することを特徴とする画像管理システム。
【請求項６】
請求項５に記載の画像管理システムにおいて、
前記第１表示装置は、前記第１表示装置の表示機能に関する設定を行う第１設定手段をさらに有し、
前記コード画像は、前記画像特定情報と前記装置特定情報と前記設定の内容を特定するための設定情報とがコード化されたコード画像であり、
前記第２表示装置の前記読み取り手段は、前記第１表示装置の前記不揮発性表示手段に表示された前記コード画像から前記画像特定情報と前記装置特定情報と前記設定情報とを読み取り、
前記第２表示装置は、前記読み取り手段によって読み取られた前記設定情報に基づいて、前記第２表示装置の表示機能に関する設定を行う第２設定手段をさらに有することを特徴とする画像管理システム。
【請求項７】
画像データを記憶する記憶手段と、
非通電状態であっても画像の表示を維持可能な不揮発性表示手段と、
前記画像データを特定するための画像特定情報がコード化されたコード画像を前記不揮発性表示手段に表示させる表示制御手段と、
前記表示装置の動作状態を示す動作状態情報を、前記画像データを管理するサーバ装置に送信する状態情報送信手段と、
を備えることを特徴とする表示装置。
【請求項８】
請求項７に記載の表示装置において、
前記表示装置とは別の表示装置に表示された前記コード画像から、前記画像特定情報を読み取る読み取り手段と、
前記読み取り手段により読み取られた前記画像特定情報を、前記サーバ装置に送信する特定情報送信手段と、
前記サーバ装置において前記別の表示装置が故障状態であると判定された場合に、前記画像特定情報により特定される画像データを前記サーバ装置から受信する画像受信手段と、
をさらに備えることを特徴とする表示装置。
【請求項９】
請求項７または８に記載の表示装置において、
前記記憶手段には、複数の画像データが記憶されており、
前記コード画像は、前記複数の画像データを特定するための画像特定情報がコード化されたコード画像であり、前記不揮発性表示手段に常時表示されることを特徴とする表示装置。
【請求項１０】
第１表示装置から前記第１表示装置の動作状態を示す動作状態情報を受信する状態情報受信処理と、
前記第１表示装置から受信した動作状態情報に基づいて、前記第１表示装置の動作状態を判定する状態判定処理と、
前記第１表示装置の代替装置である第２表示装置から、前記第１表示装置に記憶された画像データを特定するための画像特定情報を受信する特定情報受信処理と、
前記状態判定処理により前記第１表示装置が故障状態であると判定された場合には、前記第２表示装置から受信した画像特定情報により特定される画像データを前記第２表示装置に送信する画像送信処理と、
をサーバ装置に実行させることを特徴とする画像管理プログラム。
【発明の詳細な説明】
【技術分野】
【０００１】
本発明は、サーバ装置、画像管理システム、表示装置および画像管理プログラムに関する。
【背景技術】
【０００２】
非通電状態でも表示を維持可能な電子ペーパーを用いた表示装置が知られている（特許文献１参照）。
【先行技術文献】
【特許文献】
【０００３】
【特許文献１】特開２００８−２６９４３７号公報
【発明の概要】
【発明が解決しようとする課題】
【０００４】
たとえばデジタルフォトフレームなどの画像表示装置は、複数の画像をデジタルデータとして内蔵メモリ等に記憶し、その中から任意の画像を一つ選択してディスプレイに表示するようになっている。しかしながら、表示装置内部の内蔵メモリや制御基板等が破損したり寿命を迎えたりして表示装置が故障すると、表示装置内部に記憶されていた画像を鑑賞できなくなってしまう。従来技術のように電子ペーパーを用いた表示装置であれば、表示中の画像については表示が維持されるので引き続き鑑賞可能であるが、表示装置の内部に記憶されていた画像については鑑賞することができなかった。
【課題を解決するための手段】
【０００５】
請求項１に記載のサーバ装置は、表示装置の動作状態を示す動作状態情報を表示装置から受信する状態情報受信手段と、動作状態情報に基づいて表示装置の動作状態を判定する状態判定手段と、状態判定手段により表示装置が故障状態であると判定された場合に、表示装置に関連する画像データを送信する画像送信手段と、を備えることを特徴とする。
請求項４に記載の画像管理システムは、第１表示装置と、第１表示装置の代替装置である第２表示装置と、第１表示装置に記憶された画像データを管理するサーバ装置と、を備え、第１表示装置は、画像データを記憶する記憶手段と、非通電状態であっても画像の表示を維持可能な不揮発性表示手段と、画像データを特定するための画像特定情報がコード化されたコード画像を不揮発性表示手段に表示させる表示制御手段と、第１表示装置の動作状態を示す動作状態情報を、サーバ装置に送信する状態情報送信手段と、を有し、第２表示装置は、第１表示装置の不揮発性表示手段に表示されたコード画像から画像特定情報を読み取る読み取り手段と、読み取り手段により読み取られた画像特定情報をサーバ装置に送信する特定情報送信手段と、を有し、サーバ装置は、第１表示装置から送信された動作状態情報に基づいて、第１表示装置の動作状態を判定する状態判定手段と、状態判定手段により第１表示装置が故障状態であると判定された場合に、第２表示装置から送信された画像特定情報により特定される画像データを第２表示装置に送信する画像送信手段と、を有することを特徴とする。
請求項７に記載の表示装置は、画像データを記憶する記憶手段と、非通電状態であっても画像の表示を維持可能な不揮発性表示手段と、画像データを特定するための画像特定情報がコード化されたコード画像を不揮発性表示手段に表示させる表示制御手段と、表示装置の動作状態を示す動作状態情報を、画像データを管理するサーバ装置に送信する状態情報送信手段と、を備えることを特徴とする。
請求項１０に記載の画像管理プログラムは、第１表示装置から第１表示装置の動作状態を示す動作状態情報を受信する状態情報受信処理と、第１表示装置から受信した動作状態情報に基づいて、第１表示装置の動作状態を判定する状態判定処理と、第１表示装置の代替装置である第２表示装置から、第１表示装置に記憶された画像データを特定するための画像特定情報を受信する特定情報受信処理と、状態判定処理により第１表示装置が故障状態であると判定された場合には、第２表示装置から受信した画像特定情報により特定される画像データを第２表示装置に送信する画像送信処理と、をサーバ装置に実行させることを特徴とする。
【発明の効果】
【０００６】
本発明によれば、故障した表示装置に関連する画像を別の表示装置で鑑賞可能とすることができる。
【図面の簡単な説明】
【０００７】
【図１】画像管理システムの構成を説明するブロック図である。
【図２】第１表示装置および第２表示装置の構成を説明するブロック図である。
【図３】サーバ装置の構成を説明するブロック図である。
【図４】コード画像の一例を示す図である。
【図５】画像データ移行処理の流れを説明するフローチャートである。
【図６】画像データを移行する際の操作を説明する図である。
【図７】プログラムの提供の様子を説明する図である。
【発明を実施するための形態】
【０００８】
図面を参照して本発明の一実施形態について説明する。図１は、本実施形態に係る画像管理システム１の構成を模式的に示す図である。画像管理システム１は、たとえばアートポスターや写真集のような有償のコンテンツである画像データを管理するためのシステムである。画像管理システム１は、有償の画像データが記憶された表示装置１０と、代替の表示装置２０と、表示装置１０に記憶された有償の画像データを管理するサーバ装置３０と、を備える。サーバ装置３０は、有償の画像データを販売する販売業者によって管理される。以下、有償の画像データが記憶された表示装置１０を第１表示装置１０と表記し、代替の表示装置２０を第２表示装置２０と表記する。有償の画像データは、たとえば第１表示装置１０に予め記憶された状態で販売されてもよいし、第１表示装置１０の購入後にダウンロードされてもよい。
【０００９】
サーバ装置３０と第１表示装置１０および第２表示装置２０とは、ネットワークを介して接続され、データ通信を行うことができるようになっている。なお、図１では簡単のため、第１表示装置１０および第２表示装置２０を１つずつしか記載していないが、実際、サーバ装置３０は、複数の第１表示装置１０に記憶された画像データを管理するため、複数の第１表示装置１０および第２表示装置２０と接続される。
【００１０】
第２表示装置２０は、第１表示装置１０が故障した場合に使用される代替装置であり、第１表示装置１０と同種の表示装置である。第１表示装置１０が故障した場合、第１表示装置１０に記憶された有償の画像データを鑑賞できなくなってしまう。特に有償の画像データの場合、鑑賞可能な装置の数が限られていたり複製行為が制限されていたりするため、ユーザは外部の記憶装置にバックアップを行っておくことができない。ユーザは、有償の画像データがバンドルされた新たな表示装置を購入したり、有償の画像データ自体を新たに購入したりすれば、再びその画像データを鑑賞可能であるが、この場合、一度購入した画像データに対して再度料金を支払うことになってしまう。
【００１１】
そこで、本実施形態では、サーバ装置３０が第１表示装置１０の動作状態を監視し、第１表示装置１０が故障した場合に、第１表示装置１０に記憶されていた有償の画像データを、代替の第２表示装置２０に提供するようになっている。この処理について詳しくは後述する。
【００１２】
（表示装置の構成）
図２は、第１表示装置１０の構成を示すブロック図である。なお、第２表示装置２０は、第１表示装置１０と同様の構成であるため、説明を省略する。第１表示装置１０は、制御部１０１と、ディスプレイ１０２と、ディスプレイドライバ１０３、操作部１０４と、Ｉ／Ｆ（インターフェース）ドライバ１０５と、カメラ部１０６とを備える。さらに第１表示装置１０は、内蔵メモリ１０７と、バッテリ１０８と、電源コントローラ１０９と、無線送受信部１１０と、無線通信ドライバ１１１とを有する。
【００１３】
制御部１０１は、第１表示装置１０の各部を制御する電子回路であり、ＣＰＵとその周辺回路とから構成される。制御部１０１は、内蔵メモリ１０７から制御プログラムを読み込んで実行することにより、各部の制御を行う。また、制御部１０１は、表示制御部１０１ａと、機能設定部１０１ｂと、コード画像生成部１０１ｃと、コード読取部１０１ｄと、を有する。制御部１０１は、内蔵メモリ１０７から制御プログラムを読み込んで実行することにより、これらの各部の機能を実現している。各部の機能の内容については、後で詳しく説明する。
【００１４】
ディスプレイ１０２は、非通電状態であっても画像の表示を維持可能な不揮発性の表示手段であって、たとえば電子ペーパーである。したがって、ディスプレイ１０２の表示処理が行われた後は、ディスプレイ１０２の電源供給が停止されるが、ディスプレイ１０２上の表示は維持される。ディスプレイドライバ１０３は、制御部１０１からの指示に応じて画像や機能設定画面等をディスプレイ１０２に表示するための制御を行う。
【００１５】
操作部１０４は、複数の操作ボタン等から構成される。Ｉ／Ｆドライバ１０５は、操作部１０４の操作に応じた操作信号を制御部１０１に出力する。カメラ部１０６は、撮像光学系や撮像素子を有し、第１表示装置１０の背面（ディスプレイ１０２と反対側の面）に設けられる。内蔵メモリ１０７は、たとえばフラッシュメモリなどの不揮発性メモリであり、上述した有償の画像データやこの他各種データが記憶されている。電源コントローラ１０９は、バッテリ１０８の電圧を第１表示装置１０内の各部で必要な電圧に変換して各部へ供給する。
【００１６】
無線送受信部１１０は、無線通信ドライバ１１１の制御のもと、ネットワークと無線接続し、サーバ装置３０とデータ通信を行う。なお、無線通信手段としては、Ｗｉ−ＦｉやＢｌｕｅｔｏｏｔｈ（登録商標）、３ＧやＬＴＥ（Ｌｏｎｇ  Ｔｅｒｍ  Ｅｖｏｌｕｔｉｏｎ）等のいずれか１つ、または複数を有していてもよい。接続方法は、アクセスポイント（Ｗｉ−Ｆｉ）や、別機器（Ｗｉ−Ｆｉ、Ｂｌｕｅｔｏｏｔｈ（登録商標））を介する方法や、基地局（３Ｇ、ＬＴＥ）を介する方法など通信手段によって異なると考えられるが、データ通信を行うために最適な方法が選ばれるものとする。
【００１７】
（サーバ装置の構成）
図３は、サーバ装置３０の構成を示すブロック図である。サーバ装置３０は、通信部３０１、制御部３０２、および記憶部３０３を備える。
【００１８】
通信部３０１は、ネットワークを介して、第１表示装置１０および第２表示装置２０とデータ通信を行う。制御部３０２は、サーバ装置３０の各部を制御する電子回路であり、ＣＰＵとその周辺回路とから構成される。制御部３０２は、記憶部３０３から制御プログラムを読み込んで実行することにより、各部の制御を行う。また、制御部３０２は、判定部３０２ａを有し、記憶部３０３から制御プログラムを読み込んで実行することにより、判定部３０２ａの機能を実現している。各部の機能の内容については、後で詳しく説明する。
【００１９】
記憶部３０３は、たとえばハードディスクなどの不揮発性の記憶装置であり、制御部３０２が実行する制御プログラムの他、画像データの販売業者によって販売される複数の画像データが記憶されている。
【００２０】
（第１表示装置が正常動作状態である場合の動作）
まず、第１表示装置１０が正常動作状態である場合の動作について説明する。第１表示装置１０において、制御部１０１の表示制御部１０１ａは、内蔵メモリ１０７に記憶されている複数の画像を、ユーザが任意に設定した、あるいはあらかじめ設定された表示順序と表示間隔で逐次ディスプレイ１０２に表示する。また、表示制御部１０１ａは、内蔵メモリ１０７に記憶されている複数の画像のうち、ユーザに選択された任意の１枚だけをディスプレイ１０２に表示するようにしてもよい。
【００２１】
制御部１０１の機能設定部１０１ｂは、操作部１０４に対するユーザ操作に応じて、このような画像の表示機能に関する設定（たとえば、表示順序、表示間隔、画像の切り替えタイミングなど）を行う。そして機能設定部１０１ｂは、設定した内容を特定するための設定パラメータを内蔵メモリ１０７に記憶させておく。設定パラメータは、たとえば、画像の表示順序を示す表示順序設定パラメータや、画像の表示間隔を示す表示間隔設定パラメータなどを含む。
【００２２】
また、内蔵メモリ１０７に記憶されている複数の画像データをそれぞれ特定するための複数の画像ＩＤが、各画像データと関連付けられて内蔵メモリ１０７に記憶されている。なお、１つの画像ＩＤが１つの画像データと対応しており、内蔵メモリ１０７に記憶されている画像データの枚数分の画像ＩＤが記憶されている。さらに、内蔵メモリ１０７には、第１表示装置１０を特定する情報として、第１表示装置１０を所有するユーザ（すなわち内蔵メモリ１０７に記憶されている画像データの購入者）を特定するためのユーザＩＤが記憶されている。このように第１表示装置１０では、内蔵メモリ１０７に記憶されている画像データに関するメタデータとして、画像ＩＤ、ユーザＩＤおよび設定パラメータが生成されて、内蔵メモリ１０７に記憶されている。
【００２３】
制御部１０１のコード画像生成部１０１ｃは、内蔵メモリ１０７に記憶された上記メタデータ（画像ＩＤ、ユーザＩＤおよび設定パラメータ）をコード化したコード画像を生成する。表示制御部１０１ａは、コンテンツ画像（内蔵メモリ１０７に記憶されている有償の画像データ）をディスプレイ１０２の画面全体に表示すると共に、コード画像生成部１０１ｃにより生成されたコード画像を当該コンテンツ画像に重畳してディスプレイ１０２に表示する。図４（ａ）および（ｂ）は、コンテンツ画像に重畳して表示したコード画像５０の一例を示す図である。図４（ａ）に示すように、矩形状の２次元バーコードとしてコード画像５０を生成してもよいし、図４（ｂ）に示すように、コンテンツ画像の鑑賞を妨げないよう表示画面の下端部に細長いコードとしてコード画像５０を生成してもよい。また、図４（ａ）および（ｂ）のようにコード画像５０を可視コードで実現するのではなく、コンテンツ画像の鑑賞を妨げないように、コンテンツ画像上の広範囲にコードを分散させてコードそのものの存在を不可視とする、いわゆる「透かし」状にして表示画像に重畳してもよい。このようなコード化を行う方法については、公知の方法を用いればよい。
【００２４】
表示制御部１０１ａは、コード画像をディスプレイ１０２に常時表示させておくようにする。これは、第１表示装置１０の制御基板や電池が破損や経年変化などによって故障した場合に、コード画像の表示がディスプレイ１０２に維持されるようにするためである。
【００２５】
なお、１つのコード画像では、内蔵メモリ１０７に記憶されている全ての画像ＩＤ、すなわち内蔵メモリ１０７に記憶されている全ての画像データ分の画像ＩＤがコード化されている。ディスプレイ１０２においてコンテンツ画像の表示が別のコンテンツ画像に切り替えられても、コンテンツ画像に重畳表示されるコード画像自体は変化せず、同じコード画像が重畳表示される。
【００２６】
ただし、第１表示装置１０に新たに購入された画像データが記憶されるなど、内蔵メモリ１０７に記憶されている画像ＩＤが更新された場合には、コード画像生成部１０１ｃは新たにコード画像を生成し、表示制御部１０１ａはコード画像の表示を新たに生成されたコード画像に更新させる。また、機能設定部１０１ｂにより表示機能に関する設定が変更されて設定パラメータが更新された場合にも同様に、コード画像生成部１０１ｃは新たにコード画像を生成し、表示制御部１０１ａはコード画像の表示を新たに生成されたコード画像に更新させる。
【００２７】
また、制御部１０１は、第１表示装置１０の動作状態を示す動作状態情報を、無線送受信部１１０によりサーバ装置３０へ送信する。動作状態情報の送信は、所定の時間間隔で継続的に行われる。
【００２８】
ここで、第１表示装置１０の動作状態としては、以下の４通りのパターンが考えられる。
・正常動作状態（全ての機能が正常である）
・第１故障状態（動作状態情報の送信は可能だが、画像表示機能に異常がある）
・第２故障状態（動作状態情報を送信できない不具合があるが、画像表示機能は正常である）
・第３故障状態（動作状態情報を送信できない不具合があり、画像表示機能も異常がある）
【００２９】
第１表示装置１０は、上記正常動作状態である場合には、正常動作状態であることを示す動作状態情報を第１表示装置１０のユーザＩＤと共に、無線送受信部１１０によってサーバ装置３０へ送信する。一方、第１表示装置１０は、上記第１故障状態である場合には、故障状態であることを示す動作状態情報を第１表示装置１０のユーザＩＤと共に、無線送受信部１１０によってサーバ装置３０へ送信する。なお、第１表示装置１０は、上記第２故障状態または第３故障状態である場合は、動作状態情報をサーバ装置３０へ送信することができない。
【００３０】
サーバ装置３０は、第１表示装置１０から送信された動作状態情報およびユーザＩＤを、通信部３０１により受信する。制御部３０２は、第１表示装置１０から送信された動作状態情報とユーザＩＤとを関連付けて記憶部３０３に記憶する。
【００３１】
しかし、第１表示装置１０が上記第２故障状態または第３故障状態である場合は、サーバ装置３０は、第１表示装置１０から動作状態情報を受信することができない。そこで、制御部３０２の判定部３０２ａは、動作状態情報を前回受信した時点から所定時間経過しても、新たな動作状態情報を受信しない場合には、第１表示装置１０が故障状態であると自動的に判定する。そして、判定部３０２ａは、記憶部３０３に第１表示装置１０のユーザＩＤと関連付けられて記憶されている動作状態情報を、「故障状態」に変更する。
【００３２】
（第１表示装置が故障状態である場合の動作）
第１表示装置１０が上記第１故障状態または第３故障状態になった場合には、画像表示機能の異常により、ディスプレイ１０２の表示を変更できなくなることで、ユーザが第１表示装置１０の故障に気づく。故障状態であっても、ディスプレイ１０２が電子ペーパーであることより、直前に表示されていたコンテンツ画像およびコード画像についてはディスプレイ１０２の表示が維持される。一方、第１表示装置１０が上記第２故障状態になった場合には画像表示機能は正常であるため、表示制御部１０１ａは、コード画像の表示を維持し続けると共に、新しい表示装置の使用を促すメッセージをディスプレイ１０２に表示することで、ユーザに故障を報知する。
【００３３】
なお、第１表示装置１０が第２故障状態である場合には、制御部１０１は、画像表示の切り替え機能などを制限する。これは、代替の第２表示装置２０において有償の画像データをダウンロードした際に、第１表示装置１０でも当該画像データを鑑賞可能なままであると、複数の表示装置で鑑賞可能な状態となってしまうので、これを防ぐためである。
【００３４】
ユーザは第１表示装置１０が故障したことを認識すると、第１表示装置１０の代替装置である第２表示装置２０を用意する。たとえば、ユーザは、有償の画像データが記憶されていない空の表示装置を購入して、第２表示装置２０とする。そして、ユーザは第２表示装置２０の電源をオンし、操作部１０４を操作して「移行モード」を選択する。すると、第２表示装置２０の制御部１０１は、第１表示装置１０に記憶されていた画像データをサーバ装置３０から取得する画像データ移行処理を開始する。この画像データ移行処理の流れを、図５に示すフローチャートを用いて説明する。図５の左側には、第２表示装置２０の制御部１０１が実行する処理を、図５の右側には、サーバ装置３０の制御部３０２が実行する処理を、それぞれ示す。
【００３５】
ステップＳ１０１において、第２表示装置２０の制御部１０１は、カメラ部１０６の撮像処理を開始させる。カメラ部１０６は、所定フレームレートで被写体像を撮像して撮像画像を取得し、制御部１０１に出力する。
【００３６】
ここで、たとえば、図６に示すように、故障した第１表示装置１０のディスプレイ１０２の右下にコード画像５０の表示が維持されており、新たな第２表示装置２０の裏面（ディスプレイ１０２が設けられてない方の面）右下にカメラ部１０６が設けられているとする。ユーザは、第２表示装置２０の裏面を第１表示装置１０の表面に重ねあわせるようにすることで、カメラ部１０６によりコード画像５０が撮像される。このとき、カメラ部１０６は、焦点検出手段等を用いて第１表示装置１０との距離を検出し、検出結果に基づいて、コード画像が解析可能に撮像されるよう、適宜、撮像光学系のズーム制御を行うようにしてもよい。
【００３７】
ステップＳ１０２において、第２表示装置２０のコード読取部１０１ｄは、カメラ部１０６により撮像されたコード画像を解析して、コード化されたメタデータを読み取る。これにより、制御部１０１は、上記メタデータに含まれる第１表示装置１０のユーザＩＤ、画像ＩＤおよび設定パラメータを取得する。
【００３８】
ステップＳ１０３において、第２表示装置２０の制御部１０１は、ステップＳ１０２で取得したユーザＩＤを、無線送受信部１１０を介してサーバ装置３０に送信する。
【００３９】
ステップＳ２０１において、サーバ装置３０の制御部３０２は、第２表示装置２０から送信されたユーザＩＤを、通信部３０１を介して受信する。
【００４０】
ステップＳ２０２において、サーバ装置３０の判定部３０２ａは、記憶部３０３からステップＳ２０１で受信したユーザＩＤに関連付けられている動作状態情報を読み出す。判定部３０２ａは、読み出した動作状態情報に基づいて、ステップＳ２０１で受信したユーザＩＤによって特定される第１表示装置１０の動作状態を判定する。
【００４１】
ステップＳ２０３において、制御部３０２は、ステップＳ２０１で受信したユーザＩＤによって特定される第１表示装置１０が故障状態であるか否かを判定する。ステップＳ２０２で第１表示装置１０が正常動作状態であると判定された場合には、制御部３０２は、ステップＳ２０３を否定判定してステップＳ２０４に進む。ステップＳ２０４において、制御部３０２は、第１表示装置１０が正常動作状態であることを示す判定結果情報を、通信部３０１を介して第２表示装置２０へ送信して、図５の処理を終了する。
【００４２】
一方、制御部３０２は、ステップＳ２０２で第１表示装置１０が故障状態であると判定された場合にはステップＳ２０３を肯定判定してステップＳ２０５に進む。ステップＳ２０５において、制御部３０２は、第１表示装置１０が故障状態であることを示す判定結果情報を、通信部３０１を介して第２表示装置２０へ送信する。
【００４３】
ステップＳ１０４において、第２表示装置２０の制御部１０１は、第１表示装置１０の動作状態の判定結果情報を、通信部３０１を介してサーバ装置３０から受信する。
【００４４】
ステップＳ１０５において、第２表示装置２０の制御部１０１は、ステップＳ１０４で受信した判定結果情報をもとに、第１表示装置１０が故障状態であるか否かを判定する。制御部１０１は、判定結果情報が正常動作状態を示す場合には、ステップＳ１０５を否定判定して、画像データ移行処理を中止し、通常モードに戻る。一方、制御部１０１は、判定結果情報が故障状態を示す場合には、ステップＳ１０５を肯定判定して、ステップＳ１０６に進む。
【００４５】
ステップＳ１０６において、第２表示装置２０の制御部１０１は、ステップＳ１０２で取得した画像ＩＤを、無線送受信部１１０を介してサーバ装置３０に送信する。
【００４６】
ステップＳ２０６において、サーバ装置３０の制御部３０２は、通信部３０１を介して第２表示装置２０から画像ＩＤを受信する。
【００４７】
ステップＳ２０７において、サーバ装置３０の制御部３０２は、記憶部３０３からステップＳ２０６で受信した画像ＩＤに関連付けられた画像データを読み出し、通信部３０１を介して第２表示装置２０へ送信して、図５の画像データ移行処理を終了する。
【００４８】
ステップＳ１０７において、第２表示装置２０の制御部１０１は、サーバ装置３０から送信された画像データを、無線送受信部１１０を介して受信し、受信した画像データを内蔵メモリ１０７に記憶する。
【００４９】
ステップＳ１０８において、第２表示装置２０の機能設定部１０１ｂは、ステップＳ１０２で取得した設定パラメータに基づいて第２表示装置２０の表示機能に関する設定（たとえば表示順序、表示間隔など）を行って、図５の画像データ移行処理を終了する。
【００５０】
以上の画像データ移行処理によれば、故障した第１表示装置１０に記憶されていた画像データを、新しい第２表示装置２０で取得することができる。また、故障した第１表示装置１０において設定されていた表示機能に関する設定を、第２表示装置２０において再現することができる。
【００５１】
従来のデジタル画像を表示する表示装置では、故障した場合に画像を鑑賞できなくなっていたため、旧来からある印刷やプリント出力といった画像鑑賞手段に対して画像の永続性という点で劣っていた。しかしながら、上述したように、本実施形態の画像管理システム１によれば、デジタル画像を表示する表示装置においても、旧来からある印刷やプリント出力といった画像鑑賞手段と同様の利便性と永続性を備えることができる。
【００５２】
なお、第２表示装置２０では、第１表示装置１０に記憶されていた画像データの取得後、第１表示装置１０と同様にして、ユーザＩＤと上記取得した画像データの画像ＩＤと設定パラメータとをコード化したコード画像をディスプレイ１０２に表示する。また、第２表示装置２０は、第２表示装置２０の動作状態を示す動作状態情報を、定期的にサーバ装置３０に送信する。こうすることにより、第２表示装置２０が故障した場合にも、上述した画像データ移行処理によって新たな表示装置に画像データを移行することができる。
【００５３】
上述したように、第１表示装置１０および第２表示装置２０は、同一の構成でなり、同一の機能を有する表示装置である。これらの表示装置は、故障した別の表示装置に記憶されていた画像データをサーバ装置３０から取得する移行モードのときは、上記第２表示装置２０として機能して図５の画像データ移行処理を実行する。一方、内蔵メモリ１０７に記憶されている画像データをディスプレイ１０２に表示する通常モードのときは、上記第１表示装置１０として機能してコード画像を表示すると共に動作状態情報を定期的にサーバ装置３０に送信する。
【００５４】
以上説明した実施の形態によれば、次の作用効果が得られる。
（１）画像管理システム１において、第１表示装置１０は、内蔵メモリ１０７に記憶された画像データを特定するための画像ＩＤをコード化してコード画像を生成し、コード画像を不揮発性のディスプレイ１０２に表示する。また、第１表示装置１０は、第１表示装置１０の動作状態を示す動作状態情報を、サーバ装置３０に送信する。第２表示装置２０は、第１表示装置１０のディスプレイ１０２に表示されたコード画像から画像ＩＤを読み取り、サーバ装置３０に送信する。サーバ装置３０は、第１表示装置１０から送信された動作状態情報に基づいて、第１表示装置１０の動作状態を判定し、故障状態であると判定した場合に、第２表示装置２０から送信された画像ＩＤにより特定される画像データを第２表示装置２０に送信する。こうすることにより、故障した表示装置（第１表示装置１０）に記憶された画像を、別の表示装置（第２表示装置２０）で鑑賞可能とすることができる。第１表示装置１０が故障しても、不揮発性のディスプレイ１０２にコード画像の表示が維持されるので、新しい第２表示装置２０においてコード画像を読み取って、第１表示装置１０に記憶されていた画像を特定することができる。また、サーバ装置３０は、第１表示装置１０が故障状態であることを判定してから第２表示装置２０へ画像データを送信するので、有償の画像データを鑑賞可能な装置の数を適切に管理することができる。さらに、第２表示装置２０が自動的にサーバ装置３０から画像データを取得するので、ユーザは認証作業などの煩雑な操作を行わなくてもよい。
【００５５】
（２）画像管理システム１において、第１表示装置１０は、画像ＩＤとユーザＩＤと設定パラメータとがコード化されたコード画像をディスプレイ１０２に表示する。第２表示装置２０は、上記コード画像から画像ＩＤとユーザＩＤと設定パラメータとを読み取り、読み取った設定パラメータに基づいて表示機能に関する設定を行う。こうすることにより、表示機能設定のように表示装置の購入後において適宜変更される情報についても、その表示装置（第１表示装置１０）が故障した場合に新たな表示装置（第２表示装置２０）で再現することができる。したがってユーザが新たな表示装置で再度表示機能の設定操作を行う手間を省略することができ、故障した表示装置と同様の機能設定で新しい表示装置をすぐに使用することができる。
【００５６】
−変形例１−
第１表示装置１０において、内蔵メモリ１０７に、再生すべき画像のリスト（プレイリスト）が複数記憶されていてもよく、表示制御部１０１ａは、ユーザによって選択されたプレイリストに基づいて画像を順次表示するようにしてもよい。この場合、機能設定部１０１ｂは、操作部１０４に対するユーザ操作に応じて適宜プレイリストを生成し、プレイリストの内容を示すプレイリスト情報を内蔵メモリ１０７に記憶する。このとき、機能設定部１０１ｂは、プレイリストを特定するためのプレイリストＩＤをプレイリスト情報と関連付けて記憶する。コード画像生成部１０１ｃは、コード画像においてコード化する設定パラメータとして、内蔵メモリ１０７に記憶されたプレイリストＩＤを含めるようにする。
【００５７】
また第１表示装置１０は、プレイリストを生成すると、プレイリストＩＤとプレイリスト情報とをサーバ装置３０に送信する。サーバ装置３０は、第１表示装置１０から送信されたプレイリストＩＤとプレイリスト情報とを関連付けて記憶部３０３に記憶する。
【００５８】
第１表示装置１０が故障した場合に、第２表示装置２０は、第１表示装置１０に表示された上記コード画像からプレイリストＩＤを読み取り、サーバ装置３０に送信する。サーバ装置３０は、第２表示装置２０から受信したプレイリストＩＤによって特定されるプレイリスト情報を記憶部３０３から読み出して、第２表示装置２０に送信する。これにより、第２表示装置２０において、第１表示装置１０で生成されたプレイリストに基づいて画像を表示することができる。
【００５９】
また、コード画像においてコード化する設定パラメータとして、現在使用中のプレイリストを特定するプレイリストＩＤと、プレイリスト内で現在ディスプレイ１０２に表示している画像を特定する画像ＩＤとを含めるようにしてもよい。第１表示装置１０が故障した場合に、第２表示装置２０は、第１表示装置１０に表示された上記コード画像から上記プレイリストＩＤを読み取り、読み取ったプレイリストＩＤによって特定されるプレイリストに基づいて画像表示を行う。このとき、上記コード画像から読み取った上記画像ＩＤによって特定される画像から表示を開始する。こうすることで、第２表示装置２０において、第１表示装置１０の故障時点でのプレイリストに基づいて、故障時点で表示されていた画像から表示を再開することができる。
【００６０】
−変形例２−
上述した実施形態では、１つの画像に対して１つの画像ＩＤを設ける例について説明した。しかしながら、複数の画像を１つの画像セットとして、この画像セットに対して１つの画像ＩＤを設けるようにしてもよい。こうすることで、１つの画像に対して１つの画像ＩＤを設ける場合よりも、コード画像でコード化する画像ＩＤの数を減らすことができる。
【００６１】
−変形例３−
上述した実施形態では、コード画像において、表示機能に関する設定を行うための設定パラメータをコード化する例について説明した。設定パラメータを特定するための設定ＩＤを設け、コード画像において設定ＩＤをコード化するようにしてもよい。
【００６２】
この場合、たとえば、複数の表示機能に関する設定パラメータ（たとえば、表示順序を設定する設定パラメータと、表示間隔を設定する設定パラメータ）を１つのセットとし、このセットに対して１つの設定ＩＤを設ける。サーバ装置３０は、設定ＩＤと、その設定ＩＤによって特定される設定パラメータとを関連付けて記憶部３０３に記憶しておく。第１表示装置１０は、表示機能に関する設定が変更されると、変更後の設定の内容を示す設定パラメータをサーバ装置３０に送信する。サーバ装置３０は、受信した設定パラメータに基づいて記憶部３０３に記憶されている設定パラメータを更新する。
【００６３】
第１表示装置１０が故障した場合、第２表示装置２０は第１表示装置１０に表示されたコード画像から設定ＩＤを読み取って、サーバ装置３０に送信する。サーバ装置３０は、送信された設定ＩＤによって特定される設定パラメータを第２表示装置２０へ送信する。第２表示装置２０は、サーバ装置３０から送信された設定パラメータに基づいて、表示機能に関する設定を行う。
【００６４】
−変形例４−
上述した実施形態では、第１表示装置１０を特定するためのＩＤとして、第１表示装置１０の所有者を特定するユーザＩＤを用いる例について説明したが、第１表示装置１０自体を特定するための装置ＩＤ（たとえば製造番号など）を用いるようにしてもよい。
【００６５】
−変形例５−
上述した実施形態では、内蔵メモリに複数の画像データが保持された表示装置について、本発明を適用する例について説明した。しかしながら、画像データを保持する機能を有さず、たとえばネットワークを介して受信した画像を表示するような表示装置について本発明を適用するようにしてもよい。この場合、表示装置は、ディスプレイに現在表示されている画像など表示装置に関連する画像を特定するための画像ＩＤをコード化し、コード画像として表示するようにしてもよい。
【００６６】
−変形例６−
上述した実施形態では、第１表示装置１０において常時ディスプレイ１０２にコード画像を表示しておく例について説明したが、常時表示しておかなくてもよい。たとえば、第１表示装置１０に、加えられた衝撃を検知する手段（たとえば振動センサなど）を設け、第１表示装置１０が故障するほどの大きい衝撃が検知された場合に、ディスプレイ１０２にコード画像を表示するようにしてもよい。
【００６７】
−変形例７−
上述した実施の形態では、第１表示装置１０および第２表示装置２０において各機能を実現するための制御プログラムが内蔵メモリ１０７に格納されている場合について説明した。これらの制御プログラムは、ＣＤ−ＲＯＭなどの記録媒体やインターネットなどのデータ信号を通じて提供することができる。図７はその様子を示す図である。この場合、パーソナルコンピュータ５００が第１表示装置１０または第２表示装置２０としての機能を実現する。パーソナルコンピュータ５００は、ＣＤ−ＲＯＭ５０４を介してプログラムの提供を受ける。また、パーソナルコンピュータ５００は通信回線５０１との接続機能を有する。コンピュータ５０２は上記プログラムを提供するサーバーコンピュータであり、ハードディスク５０３などの記録媒体にプログラムを格納する。通信回線５０１は、インターネット、パソコン通信などの通信回線、あるいは専用通信回線などである。コンピュータ５０２はハードディスク５０３を使用してプログラムを読み出し、通信回線５０１を介してプログラムをパーソナルコンピュータ５００に送信する。すなわち、プログラムをデータ信号として搬送波を介して、通信回線５０１を介して送信する。このように、プログラムは、記録媒体やデータ信号（搬送波）などの種々の形態のコンピュータ読み込み可能なコンピュータプログラム製品として供給できる。
【００６８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６９】
１…画像管理システム、１０…第１表示装置、２０…第２表示装置、３０…サーバ装置、１０１、３０２…制御部、１０１ａ…表示制御部、１０１ｂ…機能設定部、１０１ｃ…コード画像生成部、１０１ｄ…コード読取部、１０２…ディスプレイ、１０６…カメラ部、１１０…無線送受信部、３０１…通信部、３０２ａ…判定部
【図１】
2015103947.tif 000003
【図２】
2015103947.tif 000004
【図３】
2015103947.tif 000005
【図４】
2015103947.tif 000006
【図５】
2015103947.tif 000007
【図６】
2015103947.tif 000008
【図７】
2015103947.tif 000009